【手続補正書】
【提出日】平成20年8月29日(2008.8.29)
【手続補正１】
【補正対象書類名】明細書
【補正対象項目名】発明の名称
【補正方法】変更
【補正の内容】
【発明の名称】情報処理端末装置および場所検索方法
【手続補正２】
【補正対象書類名】特許請求の範囲
【補正対象項目名】全文
【補正方法】変更
【補正の内容】
【特許請求の範囲】
【請求項１】
通信ネットワークを介して利用者が予約又は購入した商品毎に、その商品の受け取りまたは使用する場所の位置を示す情報を少なくとも含む行動情報を受信する受信部と、
前記受信部が受信した前記行動情報を抽出する行動情報抽出部と、
前記抽出した行動情報を蓄積する行動情報蓄積部と、
場所管理モードにおいて実行される場所管理プログラムが格納される場所管理プログラム格納部と、
場所管理モードに設定されると、前記場所管理プログラムを実行するプロセッサとを有し、
前記プロセッサは、
前記場所管理モードに設定されると、前記場所管理プログラムを実行することにより、
当該装置を利用している前記利用者の現在位置を取得し、
前記利用者の現在位置と、前記行動情報蓄積部に蓄積された前記行動情報に含まれる前記商品の受け取りまたは使用する場所の位置を示す情報とに基づいて、前記利用者の現在位置の最寄駅から前記利用者が予約又は購入した前記商品の受け取りまたは使用する場所の最寄駅までの路線を画面に表示する、情報処理端末装置。
【請求項２】
請求項１記載の情報処理端末装置において、
前記行動情報には、さらに、前記通信ネットワークを介して利用者が予約又は購入した商品の受け取りまたは使用する場所の指定の有無を示す情報が含まれており、
前記プロセッサは、
前記場所管理モードに設定されると、前記場所管理プログラムを実行することにより、
前記行動情報蓄積部に蓄積された前記行動情報に含まれる前記商品の受け取りまたは使用する場所の指定の有無を示す情報に基づいて、前記商品の受け取りまたは使用する場所の指定の有無を判断し、前記商品の受け取りまたは使用する場所が指定されている場合、当該装置を利用している前記利用者の現在位置を取得し、前記利用者の現在位置と、前記行動情報蓄積部に蓄積された前記行動情報に含まれる前記商品の受け取りまたは使用する場所の位置を示す情報とに基づいて、前記利用者の現在位置の最寄駅から前記利用者が予約又は購入した商品の受け取り又は利用に関連する場所の最寄駅までの路線を画面に表示する、情報処理端末装置。
【請求項３】
請求項１または請求項２記載の情報処理端末装置において、
前記プロセッサは、
前記場所管理モードに設定されると、前記場所管理プログラムを実行することにより、
さらに、前記利用者の現在位置と、前記行動情報蓄積部に蓄積された前記行動情報に含まれる前記商品の受け取りまたは使用する場所の位置を示す情報とに基づいて、前記利用者の現在位置の最寄駅から前記利用者が予約又は購入した商品の受け取り又は利用に関連する場所の最寄駅までの所要時間を算出し、画面に表示する、情報処理端末装置。
【請求項４】
請求項１または請求項２記載の情報処理端末装置において、
前記行動情報には、さらに、前記通信ネットワークを介して利用者が予約又は購入した商品の受け取りまたは使用する日時を示す日時情報が含まれており、
前記プロセッサは、
前記場所管理モードに設定されると、前記場所管理プログラムを実行することにより、
さらに、前記利用者の現在位置と、前記行動情報蓄積部に蓄積された前記行動情報に含まれる前記商品の受け取りまたは使用する場所の位置を示す情報と、前記日時情報とに基づいて、前記利用者の現在位置の最寄駅から前記利用者が予約又は購入した商品の受け取り又は利用に関連する場所の最寄駅までの所要時間を算出し、前記利用者が予約又は購入した前記商品の受け取りまたは使用する日時から前記算出した所要時間分だけ遡った時刻に前記利用者に報知する、情報処理端末装置。
【請求項５】
通信ネットワークを介して利用者が予約又は購入した商品毎に、その商品の受け取りまたは使用する場所の位置を示す情報を少なくとも含む行動情報を受信するステップと、
受信した前記行動情報を抽出するステップと、
抽出した前記行動情報を蓄積するステップと、
当該装置を利用している前記利用者の現在位置を取得するステップと、
前記利用者の現在位置と、前記行動情報蓄積部に蓄積された前記行動情報に含まれる前記商品の受け取りまたは使用する場所の位置を示す情報とに基づいて、前記利用者の現在位置の最寄駅から前記利用者が予約又は購入した前記商品の受け取りまたは使用する場所の最寄駅までの路線を画面に表示するステップと、
を有する場所検索表示方法。
【手続補正３】
【補正対象書類名】明細書
【補正対象項目名】０００１
【補正方法】変更
【補正の内容】
【０００１】
本発明は、通信ネットワークを介してチケットの予約を行ったり、商品の購入を行ったりした際に、ネットワークサーバから確認情報と共に送信される利用者の行動に関する行動情報を受信して処理する情報処理端末および場所検索表示方法に関する。
【手続補正４】
【補正対象書類名】明細書
【補正対象項目名】００１０
【補正方法】変更
【補正の内容】
【００１０】
本発明は、上記課題を解決するため、通信ネットワークを介して利用者が予約又は購入した商品毎に、その商品の受け取りまたは使用する場所の位置を示す情報を少なくとも含む行動情報を受信する受信部と、前記受信部が受信した前記行動情報を抽出する行動情報抽出部と、前記抽出した行動情報を蓄積する行動情報蓄積部と、場所管理モードにおいて実行される場所管理プログラムが格納される場所管理プログラム格納部と、場所管理モードに設定されると、前記場所管理プログラムを実行するプロセッサとを有し、前記プロセッサは、前記場所管理モードに設定されると、前記場所管理プログラムを実行することにより、当該装置を利用している前記利用者の現在位置を取得し、前記利用者の現在位置と、前記行動情報蓄積部に蓄積された前記行動情報に含まれる前記商品の受け取りまたは使用する場所の位置を示す情報とに基づいて、前記利用者の現在位置の最寄駅から前記利用者が予約又は購入した前記商品の受け取りまたは使用する場所の最寄駅までの路線を画面に表示する、情報処理端末装置である。
また、次の発明は、上記情報処理端末装置において、前記行動情報には、さらに、前記通信ネットワークを介して利用者が予約又は購入した商品の受け取りまたは使用する場所の指定の有無を示す情報が含まれており、前記プロセッサは、前記場所管理モードに設定されると、前記場所管理プログラムを実行することにより、前記行動情報蓄積部に蓄積された前記行動情報に含まれる前記商品の受け取りまたは使用する場所の指定の有無を示す情報に基づいて、前記商品の受け取りまたは使用する場所の指定の有無を判断し、前記商品の受け取りまたは使用する場所が指定されている場合、当該装置を利用している前記利用者の現在位置を取得し、前記利用者の現在位置と、前記行動情報蓄積部に蓄積された前記行動情報に含まれる前記商品の受け取りまたは使用する場所の位置を示す情報とに基づいて、前記利用者の現在位置の最寄駅から前記利用者が予約又は購入した商品の受け取り又は利用に関連する場所の最寄駅までの路線を画面に表示する。
また、次の発明は、上記情報処理端末装置において、前記プロセッサは、前記場所管理モードに設定されると、前記場所管理プログラムを実行することにより、さらに、前記利用者の現在位置と、前記行動情報蓄積部に蓄積された前記行動情報に含まれる前記商品の受け取りまたは使用する場所の位置を示す情報とに基づいて、前記利用者の現在位置の最寄駅から前記利用者が予約又は購入した商品の受け取り又は利用に関連する場所の最寄駅までの所要時間を算出し、画面に表示する。
また、次の発明は、上記情報処理端末装置において、請求項１または請求項２記載の情報処理端末装置において、前記行動情報には、さらに、前記通信ネットワークを介して利用者が予約又は購入した商品の受け取りまたは使用する日時を示す日時情報が含まれており、前記プロセッサは、前記場所管理モードに設定されると、前記場所管理プログラムを実行することにより、さらに、前記利用者の現在位置と、前記行動情報蓄積部に蓄積された前記行動情報に含まれる前記商品の受け取りまたは使用する場所の位置を示す情報と、前記日時情報とに基づいて、前記利用者の現在位置の最寄駅から前記利用者が予約又は購入した商品の受け取り又は利用に関連する場所の最寄駅までの所要時間を算出し、前記利用者が予約又は購入した前記商品の受け取りまたは使用する日時から前記算出した所要時間分だけ遡った時刻に前記利用者に報知する。
また、次の発明は、通信ネットワークを介して利用者が予約又は購入した商品毎に、その商品の受け取りまたは使用する場所の位置を示す情報を少なくとも含む行動情報を受信するステップと、受信した前記行動情報を抽出するステップと、抽出した前記行動情報を蓄積するステップと、当該装置を利用している前記利用者の現在位置を取得するステップと、前記利用者の現在位置と、前記行動情報蓄積部に蓄積された前記行動情報に含まれる前記商品の受け取りまたは使用する場所の位置を示す情報とに基づいて、前記利用者の現在位置から前記利用者が予約又は購入した前記商品の受け取りまたは使用する場所の最寄駅までの路線を画面に表示するステップと、を有する場所検索表示方法である。